(57)【要約】      （修正有）【課題】凍結時に、短時間で起動することができる燃料電池システムを提供する。【解決手段】内部加湿型の燃料電池モジュール５と、加湿用純水を溜める純水タンク１と、純水を輸送する純水ポンプ４と、を備えた加湿純水系３２と、少なくとも純水タンク１と取出配管１３を加熱する純水加熱手段１２を備える。純水が凍結した状態から起動する際には、燃料電池モジュール５の暖機運転を行うと共に、純水加熱手段により加熱する。燃料電池モジュール５が０℃以上になったことを確認してから、純水を燃料電モジュール５に輸送して、発電に伴う排熱を純水に移動させた後、純水タンク１に戻す。【選択図】      図１
2005038715.tif 000002
【特許請求の範囲】
【請求項１】
燃料ガスと酸化剤ガスの少なくとも一方を加湿する燃料電池モジュールと、
加湿用純水を溜める純水タンクと、前記純水タンク内の純水を前記燃料電池モジュールに輸送する純水ポンプと、を備えた加湿純水系と、
少なくとも前記純水タンクと、前記純水タンクから前記燃料電池モジュールへ純水を流通する配管のうち凍結が生じ得る配管部分と、を加熱する純水加熱手段と、を備え、
純水が凍結した状態から起動する際には、前記燃料電池モジュールの暖機運転を行うと共に、前記純水加熱手段により加熱し、
前記燃料電池モジュールが０℃以上になったことを確認してから、純水を前記純水ポンプにより前記燃料電モジュールに輸送して、前記燃料電池モジュールにおける発電に伴う排熱を純水に移動させた後、前記純水タンクに戻すことを特徴とする燃料電池システム。
【請求項２】
不凍液を前記燃料電池モジュールに循環させると共に、不凍液の加熱手段を有する、前記燃料電池モジュールの温度調整系を備え、
前記純水加熱手段として、前記純水タンクおよび凍結が生じ得る配管部分と、前記温度調整系の不凍液と、が熱交換可能となるように構成し、
純水が凍結した状態から起動する際には、前記不凍液加熱手段により加熱された不凍液と前記純水タンクおよび凍結が生じ得る配管部分との間で熱交換を行ってから、不凍液を前記燃料電池モジュールに供給することにより、純水の解凍および前記燃料電池モジュールの加温を行う請求項１に記載の燃料電池システム。
【請求項３】
前記純水タンク内の解凍状態を、前記純水タンクに備えた純水温度検出手段により検出し、
液状の純水量が通常運転可能な量に達するまでは、加湿量が確保できる範囲での出力制限運転を行う請求項１に記載の燃料電池システム。
【請求項４】
前記純水タンクを大気に開放して構成し、
かつ、前記加湿純水系を大気開放する大気開放弁を備え、
システム停止時には、前記純水ポンプ回転中に前記大気開放弁を開けることにより、少なくとも前記燃料電池モジュール内の純水を前記純水タンクに回収する請求項１に記載の燃料電池システム。
【発明の詳細な説明】
【技術分野】
【０００１】
本発明は、燃料電池システムに関する。特に、燃料電池システムの低温環境下における起動時間短縮のための構成に関する。
【背景技術】
【０００２】
運転停止時に、低温環境下において純水が凍結することにより、燃料電池システムの起動時間が長くなるのを避けるために以下のような技術が提案されている。
【０００３】
制御装置は、比較的、短時間の運転停止について、操作盤から運転モード切替信号により凍結防止モードを設定し、この凍結防止モードの設定時に温度センサからの検出信号により外部温度に対応する熱量を発生させる。燃料電池からの発生熱は、ポンプにより燃料電池とメインタンクとの間を循環する水へ移動し、この循環水を加熱する。これにより装置外部の気温が０℃以下であっても循環水を氷点より高温に維持して凍結を防止することができる（例えば、特許文献１、参照）。
【特許文献１】特開平１１−２１４０２５号公報
【発明の開示】
【発明が解決しようとする課題】
【０００４】
しかしながら、上記背景技術においては、燃料電池システムを長時間放置した場合には凍結を防止することができない。また、凍結防止を目的としているため、実際に凍結が生じた場合の対応方法は提案されていない。
【０００５】
そこで本発明は、凍結を生じている際に、短時間で起動することができる燃料電池システムを提供することを目的とする。
【課題を解決するための手段】
【０００６】
本発明は、燃料ガスと酸化剤ガスの少なくとも一方を加湿する燃料電池モジュールを備える。また、加湿用純水を溜める純水タンクと、前記純水タンク内の純水を前記燃料電池モジュールに輸送する純水ポンプと、を備えた加湿純水系を備える。さらに、少なくとも前記純水タンクと、前記純水タンクから前記燃料電池モジュールへ純水を流通する配管のうち凍結が生じ得る配管部分と、を加熱する純水加熱手段を備える。純水が凍結した状態から起動する際には、前記燃料電池モジュールの暖機運転を行うと共に、前記純水加熱手段により加熱する。前記燃料電池モジュールが０℃以上になったことを確認してから、純水を前記純水ポンプにより前記燃料電モジュールに輸送して、前記燃料電池モジュールにおける発電に伴う排熱を純水に移動させた後、前記純水タンクに戻す。
【発明の効果】
【０００７】
解凍された純水を燃料電池モジュールに輸送することにより、燃料電池モジュールの排熱を純水解凍に使用できるので、解凍時間を短縮することができる。これにより、燃料電池システムの暖機時間を短縮することができる。また、燃料電池モジュールの排熱を用いて解凍を行うので、余分な燃料を消費することなく解凍することができる。
【発明を実施するための最良の形態】
【０００８】
第１の実施形態に用いる燃料電池システムの構成を図１に示す。
【０００９】
酸化剤ガスとしての空気と、燃料ガスとしての水素を用いて発電を行う燃料電池モジュール５を備える。燃料電池モジュール５には、複数のセルを積層したスタックを備える。また、燃料電池モジュール５を内部加湿型の燃料電池とする。さらに、スタック温度を調整するための不凍液が流通する温度調整系３１と、空気および水素を加湿するための純水が流通する加湿純水系３２を備える。
【００１０】
温度調整系３１としては、不凍液を燃料電池モジュール５に輸送する不凍液ポンプ７、不凍液を加熱する熱供給装置６、不凍液を冷却するラジエータ８、熱供給装置６およびラジエータ８への不凍液の供給割合を調整する三方弁９を備える。また、後述する純水タンク１および取出配管１３を加熱するための加熱用流路１２を備える。ここでは、加熱用流路１２において、不凍液と純水タンク１および取出配管１３とが熱交換可能となるように構成する。加熱用流路１２を通った不凍液を、燃料電池モジュール５に導入する。
【００１１】
温度調整系３１においては、燃料電池システム起動時等、燃料電池モジュール５が低温の場合に、熱供給装置６において高温となった不凍液を加熱用流路１２に流通することにより、加湿純水系３２内の純水を解凍する。また、不凍液を燃料電池モジュール５に循環させることにより、燃料電池モジュール５の昇温を行う。一方、通常運転時等の発熱により燃料電池モジュール５の温度が過剰に上昇する可能性がある場合には、ラジエータ８を流通することにより低温となった不凍液を燃料電池モジュール５に循環させて冷却し、運転に適した温度に維持する。
【００１２】
加湿純水系３２としては、純水を貯蔵する純水タンク１、加湿純水系３２を大気開放する大気開放弁３、純水タンク１内の純水を燃料電池モジュール５に送り出す純水ポンプ４を備える。純水タンク１を、上方部で大気に開放して構成する。純水タンク１から純水ポンプ４により取り出された純水を燃料電池モジュール５に循環させ、一部を空気および水素の加湿に使用してから再び純水タンク１に回収する。なお、このような循環を行うための純水の配管において、純水タンク１から純水を取り出す部分を取出配管１３とする。ここでは、取出配管１３を備えた純水タンク１を、加湿純水系３２の最下方部に設置する。
【００１３】
このような燃料電池システムを制御するコントローラ２０を備える。また、燃料電池モジュール５の温度を検出する燃料電池内温度センサ１０、純水タンク１内の純水温度を検出するタンク内温度センサ１１を備える。これら検出器の検出結果をコントローラ２０に読み込み、燃料電池システムの制御を行う。
【００１４】
燃料電池システム停止時には、燃料電池モジュール５内での純水凍結による破損を防止するため、加湿純水系３２の純水を純水タンク１内に回収する停止制御を行う。図２にシステム停止時のフローを示す。なお、停止シーケンス起動前には、大気開放弁３が閉、純水ポンプ４が駆動している状態となる。
【００１５】
ステップＳ１１において、大気開放弁３を開とする。これにより、純水を流通する配管内および燃料電池モジュール５内の純水の、純水タンク１内への回収を開始する。次に、ステップＳ１２において、純水ポンプ４の回転を継続する。加湿純水系３２の容積より純水を純水タンク１内に回収できる時間を予め設定しておき、この時間以上、純水ポンプ４の回転を継続する。例えば、図示しないタイマー等でカウントし、所定時間が経過したと判断されたらステップＳ１３進むことで、所定時間純水ポンプ４の回転を継続する。
【００１６】
ステップＳ１３において、純水ポンプ４の回転を停止させる。次に、ステップＳ１４において、次の起動に備えて大気開放弁３を閉じる。
【００１７】
このように、燃料電池システム停止時に制御することで、加湿純水系３２の純水を純水タンク１内に回収し、燃料電池モジュール５内での純水凍結による破損を防止することができる。
【００１８】
次に、燃料電池システム起動時の制御方法について説明する。図３にシステム起動時の制御フローを示す。なお、起動シーケンス起動前には、大気開放弁３が閉、純水ポンプ４が停止している状態となる。
【００１９】
ステップＳ２１において、不凍液ポンプ７の回転を開始する。次に、ステップＳ２２において、純水タンク１内の凍結状態を判断する。ここでは、タンク内温度センサ１１を用いて純水タンク１内の温度を検出し、これが全解凍を示す温度、例えば４℃以上であるか否かを判断する。既に全解凍していれば、ステップＳ２３に進み、純水ポンプ４の回転を開始する。これにより、燃料電池モジュール５へ要求負荷に応じて加湿水を循環させることができるので、起動運転を終了し通常運転に移行する。
【００２０】
一方、ステップＳ２２において、純水タンク１内が全解凍でないと判断されたら、ステップＳ２４に進む。ステップＳ２４では、熱供給装置６をＯＮにする。このとき、三方弁９は熱供給装置６側に全開とし、循環する全不凍液が熱供給装置６において加熱された状態で燃料電池モジュール５に供給されるように制御する。
【００２１】
次に、ステップＳ２５において、燃料電池モジュール５の凍結状態を判断する。ここでは、燃料電池内温度センサ１０を用いて燃料電池モジュール５の温度を検出し、これが０℃以上であるか否かを判断する。０℃より低い場合には、加湿水を燃料電池モジュール５内に導入しても凍ってしまう可能性がある。そこで、熱供給装置６において加熱した不凍液を燃料電池モジュール５が０℃以上になるまで循環させることにより、燃料電池モジュール５の暖機を継続する。このとき、同時に、純水タンク１および取出配管１３内の純水は、加熱用流路１２を流れる不凍液により加熱され、少なくとも一部が解凍される。ここでは、熱供給装置６において加熱された不凍液を、加熱用流路１２を経て、燃料電池モジュール５に導入されるように構成する。これにより、燃料電池モジュール５が０℃以上になるまでに、確実に一部の純水を解凍することができる。
【００２２】
燃料電池モジュール５が０℃以上となったことを確認したら、ステップＳ２６に進み、純水ポンプ４の回転を開始する。これにより、純水タンク１内の純水を燃料電池モジュール５に輸送する。
【００２３】
次に、ステップＳ２７において、加湿量が確保できる範囲での出力制限運転を開始する。ここで、純水タンク１内の解凍された純水温度は、凍結した純水近傍では０℃近傍となるが、その他の部分においては純水が解凍されていくにつれ上昇する。そこで、純水温度より純水の解凍量を予測することができるので、タンク内温度センサ１１により純水温度をモニタし、これに応じて出力制限値を変更する。ステップＳ２８において、純水タンク１内の純水が全解凍したか否かを判断する。ここでは、タンク内温度センサ１１により純水タンク１内の温度を検出し、全解凍するまで出力制限運転を継続する。
【００２４】
このように、純水が全解凍するまで、純水タンク１内の純水の解凍量に応じた出力制限運転を行う。ここでは、純水温度に応じて出力の制限値を設定するので、純水が全解凍するまで、その時々に用いることができる純水で加湿を賄うことができる範囲で、最大の発電を行うことができる。燃料電池モジュール５に輸送された純水は、一部は空気および水素の加湿に用いられ、残りは燃料電池モジュール５の排熱により昇温した状態で純水タンク１に回収される。そのため、純水タンク１内の凍結した純水の解凍を促進することができる。また、純水の解凍が進むにつれ燃料電池モジュール５に輸送できる純水を増大することができ、出力制限を緩和することができるので、さらに燃料電池モジュール５の排熱を用いた純水の解凍が促進される。
【００２５】
純水が全解凍したら、ステップＳ２９に進み、熱供給装置６をＯＦＦにして起動運転を終了し、通常運転に移行する。
【００２６】
これにより、低温環境下における起動運転時に、純水が全解凍する前に燃料電池モジュール５における発電を開始することができる。ここでは、加湿に使用することができる加湿量に応じて出力制限運転を行い、燃料電池モジュール５を循環した純水を再び純水タンク１に回収するので、効率的に純水を解凍することができる。
【００２７】
なお、ここでは加熱用流路１２を、純水タンク１内および取出配管１３内の純水を加熱する部分としている。このように、加湿純水系３２を加熱する手段を、純水の凍結が生じる可能性がある領域を加熱する手段、つまり停止時に純水が存在する領域を加熱可能な手段とする。特に、純水タンク１から燃料電池モジュール５にかけての加湿純水系３２においては、純水の凍結による系の閉塞が生じないように加熱手段を設ける必要がある。
【００２８】
次に、本発明の効果について説明する。
【００２９】
燃料ガスと酸化剤ガスの少なくとも一方を加湿する燃料電池モジュール５を備える。また、加湿用純水を溜める純水タンク１と、純水タンク１内の純水を燃料電池モジュール５に輸送する純水ポンプ４と、を備えた加湿純水系３２を備える。さらに、少なくとも純水タンク１と、純水タンク１から燃料電池モジュール５へ純水を流通する配管のうち凍結が生じ得る配管部分（取出配管１３）と、を加熱する純水加熱手段と、を備える。ここでは、純水加熱手段として、熱供給装置６により加熱した不凍液と、純水タンク１および取出配管１３との間で熱交換を行う加熱用流路１２を備える。純水が凍結した状態から起動する際には、燃料電池モジュール５の暖機運転を行うと共に、純水加熱手段により加熱する。燃料電池モジュール５が０℃以上になったことを確認してから、純水を純水ポンプ４により燃料電モジュール５に輸送して、燃料電池モジュール５における発電に伴う排熱を純水に移動させた後、純水タンク１に戻す。
【００３０】
このように、全解凍していない状態でも、解凍された一部の純水を燃料電池モジュール５に輸送することにより、燃料電池モジュール５の排熱を回収し、凍結している純水の解凍に用いることができるので、起動時間を短縮することができる。ここでは、低温起動時に、加湿純水系３２内を解凍された純水が流通可能なように純水加熱手段としての加熱用流路１２を構成する。そのため、早い段階から純水を燃料電池モジュール５に供給することができ、燃料電池モジュール５でドライアウトが生じるのを防ぎつつ、発電を生じることができる。
【００３１】
また、不凍液を燃料電池モジュール５に循環させるとともに、不凍液を加熱する熱供給装置６を有する、燃料電池モジュール５の温度調整系３１を備える。純水加熱手段として、純水タンク１および取出配管１３と、温度調整系３１の不凍液と、が熱交換可能となるように構成する（加熱用流路１２）。純水が凍結した状態から起動する際には、熱供給装置６により加熱された不凍液と純水タンク１および取出配管１３との間で熱交換を行ってから、不凍液を燃料電池モジュール５に供給することにより、純水の解凍および燃料電池モジュール５の加温を行う。これにより、燃料電池モジュール５が０℃以上となる前に、純水タンク１および取出配管１３の少なくとも一部が解凍されるため、速やかに燃料電池モジュール５に加湿水を供給して発電を生じることができる。つまり、比較的燃料電池モジュール５の温度が上昇した時点で、ある程度の加湿水を確保することができるので、燃料電池モジュール５のドライアウトを抑制することができる。また、不凍液と純水タンク１、取出配管１３の熱交換を行うことにより純水加熱手段を構成するため、純水の加熱手段としてヒータ等を用いる必要はなく、システムを複雑化するのを避けることができる。
【００３２】
また、純水タンク１内の解凍状態を、純水タンク１に備えたタンク内温度センサ１１により検出し、液状の純水量が通常運転可能な量に達するまでは、加湿量が確保できる範囲での出力制限運転を行う。このように出力制限を行うことにより必要とされる加湿純水量も減るので、燃料電池モジュール５のドライアウトを防止することができる。また、解凍が進むにつれて燃料電池モジュール５からの出力を上げることができるので、純水の解凍を促進することができる。
【００３３】
さらに、純水タンク１を大気に開放し、かつ、加湿純水系３２を大気開放する大気開放弁３を備える。システム停止時には、純水ポンプ４回転中に大気開放弁３を開けることにより、少なくとも燃料電池モジュール５内の純水を純水タンク１に回収する。純水を純水タンク１に回収するにあたり、空気圧等の外部動力を使用しなくてよいため、単純・省スペースかつ低コストとすることができる。
【００３４】
次に、第２の実施形態について説明する。燃料電池システムの構成を、図４を用いて説明する。以下、第１の実施形態と異なる部分を中心に説明する。
【００３５】
純水タンク１から純水を取り出す取出配管１３に純水タンク遮断弁２を備える。ここでは、純水タンク１の外側に取出配管１３を備える。純水タンク１の下方部に取出配管１３を接続し、純水タンク１の近傍に純水タンク遮断弁２を配置する。純水タンク遮断弁２の下流側を分岐し、一方を純水ポンプ４に、もう一方を大気開放弁３を介して大気に接続する。大気開放弁３が加湿純水系３２の最下端部となるように構成する。また、不凍液ポンプ７により送り出された不凍液は、加熱用流路１２において、純水タンク１、純水タンク遮断弁２、大気開放弁３および取出配管１３の温度調整をしてから燃料電池モジュール５に導入される。特に低温起動時には、熱供給装置６により加熱された不凍液が、加熱用流路１２において、純水タンク１、純水タンク遮断弁２、大気開放弁３および取出配管１３を加熱し、純水を解凍する。
【００３６】
次に、停止時の制御方法について説明する。停止時の制御方法を示したフローチャートを図５に示す。なお、停止シーケンス起動前には、純水タンク遮断弁２は開いた状態となっている。
【００３７】
ステップＳ３１において、純水タンク遮断弁２を閉とする。次に、ステップＳ３２において大気開放弁３を開とする。純水ポンプ４の回転は継続されるので、加湿純水系３２の純水は、純水タンク１内に回収される。このとき、純水タンク遮断弁２を用いることで、純水タンク１と純水タンク遮断弁２の間のみに純水が残留することとなる。つまり、ここでは取出配管１３内に残留する純水量を少量に抑制することができる。
【００３８】
以下、ステップＳ３３〜Ｓ３５においては、ステップＳ１２〜Ｓ１４と同様に、純水を回収するまで純水ポンプ４の駆動を継続してから、純水ポンプ４を停止し、また大気開放弁３を閉じて停止制御を終了する。
【００３９】
次に、起動時の制御方法について説明する。起動時の制御方法を示したフローチャートを図６に示す。なお、起動シーケンス起動前には、純水タンク遮断弁２は閉じた状態となっている。
【００４０】
ステップＳ４１において、不凍液ポンプ７の駆動を開始し、ステップＳ４２において、ステップＳ２２と同様に、タンク内温度センサ１１の出力から純水タンク１内の純水が全部解凍しているか否かを判断する。全解凍であると判断されたら、ステップＳ４３に進み、純水タンク遮断弁２を開とする。次にステップＳ４４において純水ポンプ４の回転を開始することにより純水の循環を開始し、通常運転に移行する。
【００４１】
一方、ステップＳ４２において全解凍でないと判断されたら、ステップＳ４５、Ｓ４６において、ステップＳ２４、Ｓ２５と同様に、熱供給装置６の加熱により燃料電池モジュール５を０℃以上まで加熱する。これと同時に純水の解凍を行う。ここでは、取出配管１３を純水タンク１の外側に配置し、加熱用流路１２を流れる不凍液と熱交換可能に構成している。このように構成することより、純水解凍時に、取出配管１３内の純水は早い段階で解凍されるので、純水ポンプ４の駆動を開始した際に凍結により純水が取出せないといった状態が生じるのを抑制することができる。
【００４２】
ステップＳ４６で燃料電池モジュール５が０℃以上となったと判断されたら、ステップＳ４７に進み、純水タンク遮断弁２を開く。ステップＳ４８において、純水ポンプ４の回転を開始することにより純水の循環を開始し、以下、第１の実施形態と同様に出力制限運転を行う。純水タンク１内の純水が終了したら、起動運転を終了して通常運転を開始する。
【００４３】
次に、本実施形態の効果について説明する。以下、第１の実施形態とは異なる効果のみを説明する。
【００４４】
純水タンク１からの純水の取出配管１３を、純水タンク１の外側に備え、純水の加熱手段により取出配管１３を加熱可能に構成する。ここでは、純水の加熱手段である加熱用流路１２を流れる高温の不凍液と取出配管１３との間で、熱交換可能に構成する。これにより、取出配管１３内に残留する純水が早い段階で解凍されるので、配管の閉塞により純水の供給が弊害されるのを防ぐことができる。
【００４５】
また、取出配管１３の純水タンク１近傍に純水タンク遮蔽弁２を備え、停止時には、純水タンク遮蔽弁２の下流側の純水を純水タンク１に回収可能に構成する。これにより、低温起動時に解凍しなければならない純水残留部分が、純水タンク１と純水タンク遮蔽弁２との間に限られるので、短時間で加湿純水系３２を純水が循環可能な状態にすることができる。
【００４６】
なお、上記実施形態においては、循環する純水により空気および水素を加湿するとしたが、少なくとも一方を加湿すればよい。また、燃料電池モジュール５をスタックにより構成するとしたが、単位セルにより構成してもよい。また、純水加熱手段として、高温の不凍液との熱交換を行う加熱用流路１２を採用しているがこの限りではなく、ヒータ等を用いてもよい。
【００４７】
このように、本発明は、上記発明を実施するための最良の形態に限定されるわけではなく、特許請求の範囲に記載の技術思想の範囲内で様々な変更が為し得ることは言うまでもない。
【産業上の利用可能性】
【００４８】
本発明は、加湿を必要とする燃料電池、例えば、固体高分子型燃料電池を備えた燃料電池システムに適用することができる。特に、低温環境下に放置される可能性がある燃料電池システムに有効であり、例えば、移動体の駆動源として用いられる燃料電池システムに利用する。
【図面の簡単な説明】
【００４９】
【図１】第１の実施形態における燃料電池システムの概略構成図である。
【図２】第１の実施形態における燃料電池システムの停止時のフローチャートである。
【図３】第１の実施形態における燃料電池システムの起動時のフローチャートである。
【図４】第２の実施形態における燃料電池システムの概略構成図である。
【図５】第２の実施形態における燃料電池システム停止時のフローチャートである。
【図６】第２の実施形態における燃料電池システム起動時のフローチャートである。
【符号の説明】
【００５０】
１    純水タンク
３    大気開放弁
４    純水ポンプ
５    燃料電池モジュール
６    熱供給装置（不凍液加熱手段）
１０  燃料電池内温度センサ（燃料電池温度検出手段）
１１  タンク内温度センサ（純水温度検出手段）
１２  加熱用流路（純水加熱手段）
１３  取出配管（凍結を生じ得る配管部分）
【図１】
2005038715.tif 000003
【図２】
2005038715.tif 000004
【図３】
2005038715.tif 000005
【図４】
2005038715.tif 000006
【図５】
2005038715.tif 000007
【図６】
2005038715.tif 000008